【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
エンボスピットまたは案内溝が設けられた記録面を対向する２つの側に有する基板と、
この基板の前記２つの記録面にそれぞれ形成された反射膜と、
この反射膜の上にそれぞれ形成された第１の保護膜と、
この第１の保護膜の上にそれぞれ形成された第２の保護膜とを具備し、
前記第２の保護膜側から光ビームをそれぞれ照射して、その反射光の光強度変化に基づいて記録情報を再生する情報記録媒体であって、
前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、
前記光ビームの光波長における前記第１の保護膜の屈折率ｎ1および前記第２の保護膜の屈折率ｎ2は、下記数式（１）で表わされる関係を満足することを特徴とする情報記録媒体。
ｎ1≧ｎ2          （１）
【請求項２】
エンボスピットまたは案内溝が設けられた記録面を対向する２つの側に有する基板と、
この基板の前記２つの記録面上にそれぞれ形成された反射膜と、
この反射膜の上にそれぞれ形成された第１の保護膜と、
この第１の保護膜の上にそれぞれ形成された第２の保護膜とを具備し、
前記第２の保護膜側から光ビームをそれぞれ照射して、その反射光の光強度変化に基づいて記録情報を再生する情報記録媒体であって、
前記第１の保護膜は、誘電体膜または紫外線硬化樹脂からなり、
前記第２の保護膜は、誘電体膜、紫外線硬化樹脂、樹脂フィルムまたは樹脂円盤からなり、
前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、
前記光ビームの光波長における前記第１の保護膜の屈折率ｎ1および前記第２の保護膜の屈折率ｎ2は、下記数式（１）で表わされる関係を満足することを特徴とする情報記録媒体。
ｎ1≧ｎ2          （１）
【請求項３】
エンボスピットまたは案内溝が設けられた記録面を対向する２つの側に有する基板と、
この基板の前記２つの記録面にそれぞれ形成された反射膜と、
この反射膜の上にそれぞれ形成された第１の保護膜と、
この第１の保護膜の上にそれぞれ形成された第２の保護膜とを具備し、
前記第２の保護膜側から光ビームをそれぞれ照射して、その反射光の光強度変化に基づいて記録情報を再生する情報記録媒体であって、
前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、
前記情報記録媒体の一方の表面から他方の表面までの距離は、１．２ｍｍ以下であり、
前記光ビームの光波長における前記第１の保護膜の屈折率ｎ1および前記第２の保護膜の屈折率ｎ2は、下記数式（１）で表わされる関係を満足することを特徴とする情報記録媒体。
ｎ1≧ｎ2          （１）
【請求項４】
エンボスピットまたは案内溝が設けられた記録面を対向する２つの側に有する基板と、
この基板の前記２つの記録面にそれぞれ形成された反射膜と、
この反射膜の上にそれぞれ形成された第１の保護膜と、
この第１の保護膜の上にそれぞれ形成された第２の保護膜とを具備し、
前記第２の保護膜側から光ビームをそれぞれ照射して、その反射光の光強度変化に基づいて記録情報を再生する情報記録媒体であって、
前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、
前記基板の厚さは０．６ｍｍ以上１．２ｍｍ以下であり、
前記第１の表面から第２の表面までの距離は１．２ｍｍ以下であり、
前記光ビームの光波長における前記第１の保護膜の屈折率ｎ1および前記第２の保護膜の屈折率ｎ2は、下記数式（１）で表わされる関係を満足することを特徴とする情報記録媒体。
ｎ1≧ｎ2          （１）
【請求項５】
エンボスピットまたは案内溝が設けられた記録面を対向する２つの側に有する基板と、
この基板の前記２つの記録面にそれぞれ形成された反射膜と、
この反射膜の上にそれぞれ形成された第１の保護膜と、
この第１の保護膜の上にそれぞれ形成された第２の保護膜とを具備し、
前記第２の保護膜側から光ビームをそれぞれ照射して、その反射光の光強度変化に基づいて記録情報を再生する情報記録媒体であって、
前記基板の第１の記録面から前記第１の表面までの距離、および前記基板の第２の記録面から前記第２の表面までの距離は、前記基板の厚さより小さく、
前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、
前記第１および第２の反射膜の膜厚は１４ｎｍ以上であり、
前記光ビームの光波長における前記第１の保護膜の屈折率ｎ1および前記第２の保護膜の屈折率ｎ2は、下記数式（１）で表わされる関係を満足することを特徴とする情報記録媒体。
ｎ1≧ｎ2          （１）
【請求項６】
エンボスピットまたは案内溝が設けられた記録面を対向する２つの側に有する基板と、
この基板の前記２つの記録面にそれぞれ形成された反射膜と、
この反射膜の上にそれぞれ形成された第１の保護膜と、
この第１の保護膜の上にそれぞれ形成された第２の保護膜とを具備し、
前記第２の保護膜側から光ビームをそれぞれ照射して、その反射光の光強度変化に基づいて記録情報を再生する情報記録媒体であって、
前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、
前記基板の厚さは０．６ｍｍ以上１．２ｍｍ以下であり、
前記第１および第２の反射膜はアルミニウムを主成分とする合金膜から構成され、その膜厚が１４ｎｍ以上であって、光波長４００〜８００ｎｍにおいて反射率が１５％以上８５％以下であり、
前記光ビームの光波長における前記第１の保護膜の屈折率ｎ1および前記第２の保護膜の屈折率ｎ2は、下記数式（１）で表わされる関係を満足することを特徴とする情報記録媒体。
ｎ1≧ｎ2          （１）
【手続補正２】
【補正対象書類名】明細書
【補正対象項目名】発明の名称
【補正方法】変更
【補正の内容】
【発明の名称】情報記録媒体
【手続補正３】
【補正対象書類名】明細書
【補正対象項目名】０００１
【補正方法】変更
【補正の内容】
【０００１】
本発明は、情報記録媒体に係り、特に表面記録再生用情報記録媒体に関する。
【手続補正４】
【補正対象書類名】明細書
【補正対象項目名】０００７
【補正方法】変更
【補正の内容】
【０００７】
今後さらに記録密度を詰めて大容量化を図るためには、基板の厚さをさらに薄くすることが、チルトマージンの面から有効であるものの、基板厚が０．６ｍｍより小さくなると、こうした基板を２枚貼り合わせても機械的強度を確保することが困難となる。  
また、基板を貼り合わせる際には接着剤等が必要となるのみならず、製造プロセスも煩雑となってしまう。  
そこで本発明は、さらに記録密度を高めても十分なチルトマージンと機械的強度とを確保し得る情報記録媒体を提供することを目的とする。
【手続補正５】
【補正対象書類名】明細書
【補正対象項目名】０００８
【補正方法】変更
【補正の内容】
【０００８】
本発明の一態様にかかる情報記録媒体は、
エンボスピットまたは案内溝が設けられた記録面を対向する２つの側に有する基板と、この基板の前記２つの記録面にそれぞれ形成された反射膜と、この反射膜の上にそれぞれ形成された第１の保護膜と、この第１の保護膜の上にそれぞれ形成された第２の保護膜とを具備し、前記第２の保護膜側から光ビームをそれぞれ照射して、その反射光の光強度変化に基づいて記録情報を再生する情報記録媒体であって、前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、前記光ビームの光波長における前記第１の保護膜の屈折率ｎ1および前記第２の保護膜の屈折率ｎ2は、下記数式（１）で表わされる関係を満足することを特徴とする。
ｎ1≧ｎ2          （１）
【手続補正６】
【補正対象書類名】明細書
【補正対象項目名】０００９
【補正方法】変更
【補正の内容】
【０００９】
本発明の他の態様にかかる情報記録媒体は、エンボスピットまたは案内溝が設けられた記録面を対向する２つの側に有する基板と、この基板の前記２つの記録面上にそれぞれ形成された反射膜と、この反射膜の上にそれぞれ形成された第１の保護膜と、この第１の保護膜の上にそれぞれ形成された第２の保護膜とを具備し、前記第２の保護膜側から光ビームをそれぞれ照射して、その反射光の光強度変化に基づいて記録情報を再生する情報記録媒体であって、前記第１の保護膜は、誘電体膜または紫外線硬化樹脂からなり、前記第２の保護膜は、誘電体膜、紫外線硬化樹脂、樹脂フィルムまたは樹脂円盤からなり、前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、前記光ビームの光波長における前記第１の保護膜の屈折率ｎ1および前記第２の保護膜の屈折率ｎ2は、下記数式（１）で表わされる関係を満足することを特徴とする。
ｎ1≧ｎ2          （１）
【手続補正７】
【補正対象書類名】明細書
【補正対象項目名】００１０
【補正方法】変更
【補正の内容】
【００１０】
本発明の他の態様にかかる情報記録媒体は、エンボスピットまたは案内溝が設けられた記録面を対向する２つの側に有する基板と、この基板の前記２つの記録面にそれぞれ形成された反射膜と、この反射膜の上にそれぞれ形成された第１の保護膜と、この第１の保護膜の上にそれぞれ形成された第２の保護膜とを具備し、前記第２の保護膜側から光ビームをそれぞれ照射して、その反射光の光強度変化に基づいて記録情報を再生する情報記録媒体であって、前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、前記情報記録媒体の一方の表面から他方の表面までの距離は、１．２ｍｍ以下であり、前記光ビームの光波長における前記第１の保護膜の屈折率ｎ1および前記第２の保護膜の屈折率ｎ2は、下記数式（１）で表わされる関係を満足することを特徴とする。
ｎ1≧ｎ2          （１）
本発明の他の態様にかかる情報記録媒体は、エンボスピットまたは案内溝が設けられた記録面を対向する２つの側に有する基板と、この基板の前記２つの記録面にそれぞれ形成された反射膜と、この反射膜の上にそれぞれ形成された第１の保護膜と、この第１の保護膜の上にそれぞれ形成された第２の保護膜とを具備し、前記第２の保護膜側から光ビームをそれぞれ照射して、その反射光の光強度変化に基づいて記録情報を再生する情報記録媒体であって、前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、前記基板の厚さは０．６ｍｍ以上１．２ｍｍ以下であり、前記第１の表面から第２の表面までの距離は１．２ｍｍ以下であり、前記光ビームの光波長における前記第１の保護膜の屈折率ｎ1および前記第２の保護膜の屈折率ｎ2は、下記数式（１）で表わされる関係を満足することを特徴とする。
ｎ1≧ｎ2          （１）
本発明の他の態様にかかる情報記録媒体は、エンボスピットまたは案内溝が設けられた記録面を対向する２つの側に有する基板と、この基板の前記２つの記録面にそれぞれ形成された反射膜と、この反射膜の上にそれぞれ形成された第１の保護膜と、この第１の保護膜の上にそれぞれ形成された第２の保護膜とを具備し、前記第２の保護膜側から光ビームをそれぞれ照射して、その反射光の光強度変化に基づいて記録情報を再生する情報記録媒体であって、前記基板の第１の記録面から前記第１の表面までの距離、および前記基板の第２の記録面から前記第２の表面までの距離は、前記基板の厚さより小さく、前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、前記第１および第２の反射膜の膜厚は１４ｎｍ以上であり、前記光ビームの光波長における前記第１の保護膜の屈折率ｎ1および前記第２の保護膜の屈折率ｎ2は、下記数式（１）で表わされる関係を満足することを特徴とする。
ｎ1≧ｎ2          （１）
本発明の他の態様にかかる情報記録媒体は、エンボスピットまたは案内溝が設けられた記録面を対向する２つの側に有する基板と、この基板の前記２つの記録面にそれぞれ形成された反射膜と、この反射膜の上にそれぞれ形成された第１の保護膜と、この第１の保護膜の上にそれぞれ形成された第２の保護膜とを具備し、前記第２の保護膜側から光ビームをそれぞれ照射して、その反射光の光強度変化に基づいて記録情報を再生する情報記録媒体であって、前記基板の第１の記録面から前記第１の表面までの距離、および前記基板の第２の記録面から前記第２の表面までの距離は、５λ／（４ｎ）以上０．６ｍｍ以下（λは光ビームの波長であり、ｎは前記波長λの光の前記第１または第２の保護膜の光屈折率である）であり、前記基板の厚さは０．６ｍｍ以上１．２ｍｍ以下であり、前記第１および第２の反射膜はアルミニウムを主成分とする合金膜から構成され、その膜厚が１４ｎｍ以上であって、光波長４００〜８００ｎｍにおいて反射率が１５％以上８５％以下であり、前記光ビームの光波長における前記第１の保護膜の屈折率ｎ1および前記第２の保護膜の屈折率ｎ2は、下記数式（１）で表わされる関係を満足することを特徴とする。
ｎ1≧ｎ2          （１）
【手続補正８】
【補正対象書類名】明細書
【補正対象項目名】００１１
【補正方法】変更
【補正の内容】
【００１１】
本発明によれば、記録密度を高めても十分なチルトマージンと機械的強度とを確保し得る情報記録媒体が提供される。